(57)【要約】【課題】利用者が撮影したビデオを編集する事業者に対して、利用者の希望に基づいた編集を容易に行うことができるシステムを提供することを目的とする。【解決手段】イベント分野情報と、編集パターンをイベント分野毎、シナリオ毎に分類したシナリオ情報と、シナリオ毎にシーン画像データとシーン番号を含むシナリオ明細情報とを登録したデータ記憶装置と、利用者端末装置より選択されたシナリオ情報に関する情報を含む編集依頼情報とビデオ情報とをデータ記憶装置に登録する編集依頼登録手段と、編集者端末装置から要求された検索条件に基づいて選択された編集依頼情報に属するビデオ情報を再生して、再生中のビデオ情報に於ける任意の抽出範囲の指定を受け付けて、受け付けた抽出範囲毎に編集ビデオ情報を作成する編集手段と、編集者端末装置より編集ビデオ情報を利用者端末装置に送信する編集ビデオ送信手段とを備えることを特徴とする。【選択図】図１
2006074405.tif 000002
【特許請求の範囲】
【請求項１】
利用者が撮影したビデオ情報を利用者に代わって編集し、その利用者に提供するビデオ編集代行システムであって、
前記ビデオ情報の編集代行に関する事業を行う店舗側又は／及び前記利用者側が備える利用者端末装置と、
この利用者端末装置と通信ネットワークを介して接続され前記編集代行の運営を行うシステム運営機関が備える運営管理装置とから少なくとも構成され、
前記運営管理装置は、前記ビデオ情報を編集する編集者側が備える編集者端末装置と、
イベント分野毎に分類したイベント分野情報と、前記ビデオ情報の編集に関する編集パターンを前記イベント分野毎、および撮影内容毎にシナリオを分類したシナリオ情報と、それぞれの前記シナリオ情報を構成するシナリオに基づいた代表的なシーン画像データとシーンの順番に番号を付加したシーン番号とを含む複数のシナリオ明細情報とを少なくとも登録したデータ記憶装置と、
前記利用者端末装置の要求に応答し、前記データ記憶装置を検索して前記イベント分野情報の一覧を前記利用者端末装置に送信し、イベント分野情報の一覧の中から利用者によって選択されたイベント分野情報を受信して該イベント分野情報に属する前記シナリオ情報の一覧を前記利用者端末装置に送信し、シナリオ情報の一覧の中から利用者によって選択されたシナリオ情報を受信して該シナリオ情報に属する前記シナリオ明細情報の一覧およびシナリオ明細情報を前記利用者端末装置に送信し、利用者端末装置から前記シナリオ情報に関する情報を含む編集依頼情報を受信して前記データ記憶装置に登録すると共に、前記利用者端末装置より前記編集依頼情報に属する前記シナリオ明細情報の手順に従い作成されたイベントを撮影したビデオ情報を受信して前記データ記憶装置に登録する編集依頼登録手段と、
前記編集者端末装置から要求された検索条件に基づいて、前記データ記憶装置を検索して該当する前記編集依頼情報の一覧を前記編集者端末装置に送信し、編集依頼情報の一覧の中から編集者により選択された編集依頼情報を受信して該編集依頼情報とその編集依頼情報に属する前記シナリオ明細情報の一覧とを前記編集者端末装置に送信し、前記編集者端末装置で編集者により選択された前記編集依頼情報に属する前記ビデオ情報からそれぞれの前記シナリオ明細情報と関連付けた再生中の前記ビデオ情報に於ける任意の抽出範囲の指定を受け付けて、受け付けた抽出範囲毎に該当する前記シナリオ明細情報のシーン番号を付加して編集ビデオ情報を作成し、作成した前記編集ビデオ情報をシーン番号の昇順に繋ぎ合わせて前記データ記憶装置に登録する編集手段と、
前記編集者端末装置からの要求に応答し、前記データ記憶装置を検索して所定の送信条件に基づいた前記編集ビデオ情報を利用者端末装置に送信する編集ビデオ送信手段とを備えることを特徴とするビデオ編集代行システム。
【請求項２】
前記ビデオ情報と前記シナリオ明細情報には、前記シナリオに記載された各シーンを識別するためのシーン開始情報とシーン終了情報とを更に含み、
前記運営管理装置は、前記編集手段に代えて、前記編集者端末装置から要求された検索条件に基づいて、前記データ記憶装置を検索して該当する前記編集依頼情報の一覧をその編集者端末装置に送信し、前記編集者端末装置で編集者により選択された前記編集依頼情報に属する前記シナリオ明細情報の前記シーン開始情報とシーン終了情報と、前記ビデオ情報の前記シーン開始情報とシーン終了情報とを照合して、照合結果が一致した前記ビデオ情報の前記シーン開始情報と前記シーン終了情報との間の抽出範囲毎に該当する前記シナリオ明細情報のシーン番号を付加して編集ビデオ情報を作成し、作成した前記編集ビデオ情報をシーン番号の昇順に繋ぎ合わせて前記データ記憶装置に登録する自動編集手段を備えることを特徴とする請求項１に記載のビデオ編集代行システム。
【請求項３】
前記編集依頼登録手段は、利用者により選択された前記シナリオ情報に属する前記シナリオ明細情報に対して、それぞれの前記編集ビデオ情報に於ける希望撮影明細時間の指定を受け付けて、受け付けた希望撮影明細時間を含む編集依頼明細情報を作成して前記データ記憶装置に登録すると共に、前記希望撮影明細時間を前記シナリオ情報について集計した希望撮影合計時間情報を前記編集依頼情報に付加することを更に備え、
前記編集手段、又は前記自動編集手段は、前記シナリオ明細情報と関連付けられた前記ビデオ情報の前記抽出範囲に於ける実績撮影明細時間と前記希望撮影明細時間を前記編集依頼情報について集計した実績撮影合計時間とを算出して前記編集者端末装置に表示すると共に、前記編集依頼情報に対して前記実績撮影合計時間情報を付加し、前記編集依頼明細情報に対しては前記実績撮影明細時間情報を付加することを特徴とする請求項１又は２に記載のビデオ編集代行システム。
【請求項４】
前記データ記憶装置は、前記イベント分野毎に関連する楽曲を分類した楽曲名と楽曲とを含む楽曲情報を更に含み、
前記編集依頼登録手段は、利用者により前記データ記憶装置を検索して選択された前記イベント分野情報に属する前記楽曲情報の一覧を前記利用者端末装置に送信し、楽曲情報の一覧の中から利用者によって選択された前記楽曲情報を利用者端末装置より受信して前記編集依頼情報に付加することを更に備え、
前記運営管理装置は、前記編集手段、又は前記自動編集手段で前記編集ビデオ情報を前記データ記憶装置に登録する際に、前記編集依頼情報の前記楽曲情報に関する情報に属する前記楽曲をその編集ビデオ情報と合成して登録する楽曲合成手段を更に備えることを特徴とする請求項１に記載のビデオ編集代行システム。
【請求項５】
前記シナリオ明細情報は、前記シーン画像毎に、画像解説に関するシーン説明、又は／及び、その画像タイトルに関する字幕内容、開始コード、終了コードを更に含み、
前記編集依頼登録手段は、利用者により選択された前記シナリオ情報に属する前記シナリオ明細情報の一覧を前記利用者端末装置に送信した際に、シナリオ明細情報の一覧の中から利用者によって選択された前記シナリオ明細情報の前記シーン説明、又は／及び、シーン画像タイトルに関する字幕内容、開始コード、終了コードに対して入力されたナレーション内容、又は／及び、変更字幕内容とシーン番号とを含む編集依頼明細情報を利用者端末装置より受信して前記データ記憶装置に登録することを更に備え、
前記運営管理装置は、前記編集者端末装置から要求された検索条件に基づいて、前記データ記憶装置を検索して該当する前記編集依頼明細情報の一覧を前記編集者端末装置に送信し、編集依頼明細情報の一覧の中から編集者によって選択された前記編集依頼明細情報に対して前記編集者端末装置に接続されたマイクロホンから入力された前記ナレーション内容に基づいたナレーション音声データを編集者端末装置より受信して前記データ記憶装置に登録するナレーション音声登録手段と、
前記編集者端末装置からの要求に応答して、指定された検索条件に基づき、前記データ記憶装置を検索して該当する前記編集依頼明細情報の一覧を前記編集者端末装置に送信し、編集依頼明細情報の一覧の中から編集者によって選択され前記編集依頼明細情報に対して前記変更字幕内容に基づいて入力された変更字幕画像データを編集者端末装置より受信して前記データ記憶装置に登録する変更字幕画像登録手段と、
前記編集手段、又は前記自動編集手段で前記編集ビデオ情報を前記データ記憶装置に登録する際に、編集ビデオ情報と前記編集依頼明細情報とを照合して、それぞれの前記シーン番号が一致した場合に、一致した前記シーン番号に属する編集依頼明細情報の前記変更ナレーション音声、又は／及び、変更字幕画像を編集ビデオ情報と合成して登録する変更ナレーション音声・字幕画像合成手段とを更に備えることを特徴とする請求項１又は２に記載のビデオ編集代行システム。
【請求項６】
前記シーン開始情報とシーン終了情報としてバーコード又は二次元バーコードを用いて、各シーンの撮影開始前に一定時間バーコードで記載されたシーン開始情報をビデオカメラで撮影し、シーンの撮影終了後に一定時間バーコードで記載されたシーン終了情報をビデオカメラで撮影し、前記撮影されたバーコードの映像と前記シナリオ明細情報のシーン開始情報とシーン終了情報とを照合して、照合結果が一致した前記ビデオ情報の前記シーン開始情報と前記シーン終了情報との間の抽出範囲毎に該当する前記シナリオ明細情報のシーン番号を付加して編集ビデオ情報を作成し、作成した前記編集ビデオ情報をシーン番号の昇順に繋ぎ合わせて前記データ記憶装置に登録する自動編集手段を備えることを特徴とする請求項２に記載のビデオ編集代行システム。
【請求項７】
前記シーン開始情報とシーン終了情報として音声帯域の信号音を用いて、前記シーン開始情報には撮影時刻、シナリオ番号、シーン番号、撮影場所、撮影対象、撮影者に関する情報を少なくとも含み、各シーンの撮影開始前に一定時間シーン開始情報に対応する音声帯域の信号をビデオカメラの音声として撮影し、シーンの撮影終了後に一定時間シーン終了情報に対応する音声帯域の信号をビデオカメラの音声として撮影し、前記撮影された音声帯域の信号と前記シナリオ明細情報のシーン開始情報とシーン終了情報とを照合して、照合結果が一致した前記ビデオ情報の前記シーン開始情報と前記シーン終了情報との間の抽出範囲毎に該当する前記シナリオ明細情報のシーン番号を付加して編集ビデオ情報を作成し、作成した前記編集ビデオ情報をシーン番号の昇順に繋ぎ合わせて前記データ記憶装置に登録する自動編集手段を備えることを特徴とする請求項２に記載のビデオ編集代行システム。
【請求項８】
前記運営管理装置は、前記ビデオ情報にシーン開始情報を含み、該シーンの開始情報に対応するシーン終了情報が含まれない場合に、前記編集者端末装置で編集者により選択された前記編集依頼情報に属する前記シナリオ明細情報の前記シーン開始情報と、前記ビデオ情報の前記シーン開始情報と照合して、照合結果が一致した前記ビデオ情報の前記シーン開始情報とし、
時系列的に後に記録されている次のシーン開始情報と、前記シナリオ明細情報の前記シーン開始情報とを照合し、照合結果が一致した前記ビデオ情報のシーン開始情報とするとともに、先のシーン開始情報に対応するシーン終了情報として扱い、
時系列的に後に記録されている次のシーン開始情報が無く、ビデオ撮影の停止情報を検出した場合には、ビデオ撮影の停止情報を先のシーン開始情報に対応するシーン終了情報として扱い、
前記シーン開始情報とシーン終了情報との間の抽出範囲毎に該当する前記シナリオ明細情報のシーン番号を付加して編集ビデオ情報を作成し、作成した前記編集ビデオ情報をシーン番号の昇順に繋ぎ合わせて前記データ記憶装置に登録する自動編集手段を備えることを特徴とする請求項１又は２に記載のビデオ編集代行システム。
【発明の詳細な説明】
【技術分野】
【０００１】
本発明は、利用者の日常生活に於けるイベントや企業に於ける開発工程等を撮影したビデオ情報を利用者に代わって編集し、その利用者に提供するビデオ編集代行システムに関するものである。
【背景技術】
【０００２】
デジタルビデオカメラの普及に伴い、一般家庭に於いては、イベントのシーンを撮影してそれを日常生活に於ける記録として残すことが浸透している。中には、パソコンを駆使して撮影したシーンをビデオ作品として編集する人達もおり、そのビデオ作品の用途は、今後も多岐に亘ることが予想される。
【０００３】
しかしながら、ビデオ作品として編集する為のシナリオ作成、画像編集、ナレーション、字幕スーパー等の演出ノウハウを保有している人達は少なく、利用者の希望に基づいたビデオ編集を利用者に負担をかけることなく容易に行うことができる手段が望まれている。
【０００４】
又、ビデオ編集に関するシステムの事例として、例えば、特許文献１に開示されている「オリジナル動画像提供方法及びそのシステム並びに受付装置」のように、利用者が撮影した画像データと所定の動画像データとを利用者の合成条件に基づいて画像合成するシステムが開示されている。
【０００５】
その合成条件の指定は、画像合成を依頼する窓口にて、その合成位置を指定する必要があり、利用者が撮影した画像データが数枚の静止画像であればその指定は容易であるが、画像データが長時間に亘って撮影したビデオの場合は、その合成する画像データと動画像データとについて、それぞれの合成位置を指定する為の準備作業は利用者にとって容易ではなく、利用者が画像合成等を依頼する際には、その準備作業を軽減した手段が求められている。
【０００６】
【特許文献１】特開２００２−２３２８３２号公報（第１〜３頁）
【発明の開示】
【発明が解決しようとする課題】
【０００７】
以上のような問題を解決するために本発明では、利用者の日常生活に於けるイベントや企業に於ける開発工程等を撮影したビデオ情報を利用者に代わって編集する事業者に対して、利用者の希望に基づいたビデオ編集を容易に行うことができるビデオ編集代行システムを提供することを目的とする。
【課題を解決するための手段】
【０００８】
前記目的を達成するために、請求項１に記載の発明は、  利用者が撮影したビデオ情報を利用者に代わって編集し、その利用者に提供するビデオ編集代行システムであって、前記ビデオ情報の編集代行に関する事業を行う店舗側又は／及び前記利用者側が備える利用者端末装置と、この利用者端末装置と通信ネットワークを介して接続され前記編集代行の運営を行うシステム運営機関が備える運営管理装置とから少なくとも構成され、前記運営管理装置は、前記ビデオ情報を編集する編集者側が備える編集者端末装置と、イベント分野毎に分類したイベント分野情報と、前記ビデオ情報の編集に関する編集パターンを前記イベント分野毎、および撮影内容毎にシナリオを分類したシナリオ情報と、それぞれの前記シナリオ情報を構成するシナリオに基づいた代表的なシーン画像データとそのシーンの順番に番号を付加したシーン番号とを含む複数のシナリオ明細情報とを少なくとも登録したデータ記憶装置と、前記利用者端末装置の要求に応答し、前記データ記憶装置を検索して前記イベント分野情報の一覧を前記利用者端末装置に送信し、イベント分野情報の一覧の中から利用者によって選択されたイベント分野情報を受信して該イベント分野情報に属する前記シナリオ情報の一覧を前記利用者端末装置に送信し、シナリオ情報の一覧の中から利用者によって選択されたシナリオ情報を受信して該シナリオ情報に属する前記シナリオ明細情報の一覧およびシナリオ明細情報を前記利用者端末装置に送信し、利用者端末装置から前記シナリオ情報に関する情報を含む編集依頼情報を受信して前記データ記憶装置に登録すると共に、前記利用者端末装置より前記編集依頼情報に属する前記シナリオ明細情報の手順に従い作成されたイベントを撮影したビデオ情報を受信して前記データ記憶装置に登録する編集依頼登録手段と、前記編集者端末装置から要求された検索条件に基づいて、前記データ記憶装置を検索して該当する前記編集依頼情報の一覧を前記編集者端末装置に送信し、編集依頼情報の一覧の中から編集者により選択された編集依頼情報を受信して該編集依頼情報とその編集依頼情報に属する前記シナリオ明細情報の一覧とを前記編集者端末装置に送信し、前記編集者端末装置で編集者により選択された前記編集依頼情報に属する前記ビデオ情報からそれぞれの前記シナリオ明細情報と関連付けた再生中の前記ビデオ情報に於ける任意の抽出範囲の指定を受け付けて、受け付けた抽出範囲毎に該当する前記シナリオ明細情報のシーン番号を付加して編集ビデオ情報を作成し、作成した前記編集ビデオ情報をそのシーン番号の昇順に繋ぎ合わせて前記データ記憶装置に登録する編集手段と、前記編集者端末装置からの要求に応答し、前記データ記憶装置を検索して所定の送信条件に基づいた前記編集ビデオ情報を利用者端末装置に送信する編集ビデオ送信手段とを備えることを特徴とする。
【０００９】
請求項２に記載の発明は、前記ビデオ情報と前記シナリオ明細情報には、前記シナリオに記載された各シーンを識別するためのシーン開始情報とシーン終了情報とを更に含み、前記運営管理装置は、前記編集手段に代えて、前記編集者端末装置から要求された検索条件に基づいて、前記データ記憶装置を検索して該当する前記編集依頼情報の一覧をその編集者端末装置に送信し、前記編集者端末装置で編集者により選択された前記編集依頼情報に属する前記シナリオ明細情報の前記シーン開始情報とシーン終了情報と、前記ビデオ情報の前記シーン開始情報と前記シーン終了情報とを照合して、照合結果が一致した前記ビデオ情報の前記シーン開始情報と前記シーン終了情報との間の抽出範囲毎に該当する前記シナリオ明細情報のシーン番号を付加して編集ビデオ情報を作成し、作成した前記編集ビデオ情報をそのシーン番号の昇順に繋ぎ合わせて前記データ記憶装置に登録する自動編集手段を備えることを特徴とする。
【００１０】
請求項３に記載の発明は、前記編集依頼登録手段は、利用者により選択された前記シナリオ情報に属する前記シナリオ明細情報に対して、それぞれの前記編集ビデオ情報に於ける希望撮影明細時間の指定を受け付けて、受け付けた希望撮影明細時間を含む編集依頼明細情報を作成して前記データ記憶装置に登録すると共に、前記希望撮影明細時間を前記シナリオ情報について集計した希望撮影合計時間情報を前記編集依頼情報に付加することを更に備え、前記編集手段、又は前記自動編集手段は、前記シナリオ明細情報と関連付けられた前記ビデオ情報の前記抽出範囲に於ける実績撮影明細時間と前記希望撮影明細時間を前記編集依頼情報について集計した実績撮影合計時間とを算出して前記編集者端末装置に表示すると共に、前記編集依頼情報に対して前記実績撮影合計時間情報を付加し、前記編集依頼明細情報に対しては前記実績撮影明細時間情報を付加することを特徴とする。
【００１１】
請求項４に記載の発明は、前記データ記憶装置は、前記イベント分野毎に関連する楽曲を分類した楽曲名と楽曲とを含む楽曲情報を更に含み、前記編集依頼登録手段は、利用者により前記データ記憶装置を検索して選択された前記イベント分野情報に属する前記楽曲情報の一覧を前記利用者端末装置に送信し、楽曲情報の一覧の中から利用者によって選択された前記楽曲情報を利用者端末装置より受信して前記編集依頼情報に付加することを更に備え、前記運営管理装置は、前記編集手段、又は前記自動編集手段で前記編集ビデオ情報を前記データ記憶装置に登録する際に、前記編集依頼情報の前記楽曲情報に関する情報に属する前記楽曲をその編集ビデオ情報と合成して登録する楽曲合成手段を更に備えることを特徴とする。
【００１２】
請求項５に記載の発明は、前記シナリオ明細情報は、前記シーン画像毎に、画像解説に関するシーン説明、又は／及び、その画像タイトルに関する字幕内容、開始コード、終了コードを更に含み、前記編集依頼登録手段は、利用者により選択された前記シナリオ情報に属する前記シナリオ明細情報の一覧を前記利用者端末装置に送信した際に、シナリオ明細情報の一覧の中から利用者によって選択された前記シナリオ明細情報の前記シーン説明、又は／及び、シーン画像タイトルに関する字幕内容、開始コード、終了コードに対して入力されたナレーション内容、又は／及び、変更字幕内容とそのシーン番号とを含む編集依頼明細情報を利用者端末装置より受信して前記データ記憶装置に登録することを更に備え、前記運営管理装置は、前記編集者端末装置から要求された検索条件に基づいて、前記データ記憶装置を検索して該当する前記編集依頼明細情報の一覧を前記編集者端末装置に送信し、編集依頼明細情報の一覧の中から編集者によって選択された前記編集依頼明細情報に対して前記編集者端末装置に接続されたマイクロホンから入力された前記ナレーション内容に基づいたナレーション音声データを編集者端末装置より受信して前記データ記憶装置に登録するナレーション音声登録手段と、前記編集者端末装置からの要求に応答して、指定された検索条件に基づき、前記データ記憶装置を検索して該当する前記編集依頼明細情報の一覧を前記編集者端末装置に送信し、編集依頼明細情報の一覧の中から編集者によって選択され前記編集依頼明細情報に対して前記変更字幕内容に基づいて入力された変更字幕画像データを編集者端末装置より受信して前記データ記憶装置に登録する変更字幕画像登録手段と、前記編集手段、又は前記自動編集手段で前記編集ビデオ情報を前記データ記憶装置に登録する際に、その編集ビデオ情報と前記編集依頼明細情報とを照合して、それぞれの前記シーン番号が一致した場合に、一致した前記シーン番号に属する編集依頼明細情報の前記変更ナレーション音声、又は／及び、変更字幕画像を編集ビデオ情報と合成して登録する変更ナレーション音声・字幕画像合成手段とを更に備えることを特徴とする。
【００１３】
請求項６に記載の発明は、前記シーン開始情報とシーン終了情報としてバーコード又は二次元バーコードを用いて、各シーンの撮影開始前に一定時間バーコードで記載されたシーン開始情報をビデオカメラで撮影し、シーンの撮影終了後に一定時間バーコードで記載されたシーン終了情報をビデオカメラで撮影し、前記撮影されたバーコードの映像と前記シナリオ明細情報のシーン開始情報とシーン終了情報とを照合して、照合結果が一致した前記ビデオ情報の前記シーン開始情報と前記シーン終了情報との間の抽出範囲毎に該当する前記シナリオ明細情報のシーン番号を付加して編集ビデオ情報を作成し、作成した前記編集ビデオ情報をそのシーン番号の昇順に繋ぎ合わせて前記データ記憶装置に登録する自動編集手段を備えることを特徴とする。
【００１４】
請求項７に記載の発明は、前記シーン開始情報とシーン終了情報として音声帯域の信号音を用いて、前記シーン開始情報には撮影時刻、シナリオ番号、シーン番号、撮影場所、撮影対象、撮影者に関する情報を少なくとも含み、各シーンの撮影開始前に一定時間シーン開始情報に対応する音声帯域の信号をビデオカメラの音声として撮影し、シーンの撮影終了後に一定時間シーン終了情報に対応する音声帯域の信号をビデオカメラの音声として撮影し、前記撮影された音声帯域の信号と前記シナリオ明細情報のシーン開始情報とシーン終了情報とを照合して、照合結果が一致した前記ビデオ情報の前記シーン開始情報と前記シーン終了情報との間の抽出範囲毎に該当する前記シナリオ明細情報のシーン番号を付加して編集ビデオ情報を作成し、作成した前記編集ビデオ情報をそのシーン番号の昇順に繋ぎ合わせて前記データ記憶装置に登録する自動編集手段を備えることを特徴とする。
【００１５】
請求項８に記載の発明は、前記運営管理装置は、前記ビデオ情報にシーン開始情報を含み、該シーンの開始情報に対応するシーン終了情報が含まれない場合に、前記編集者端末装置で編集者により選択された前記編集依頼情報に属する前記シナリオ明細情報の前記シーン開始情報と、前記ビデオ情報の前記シーン開始情報と照合して、照合結果が一致した前記ビデオ情報の前記シーン開始情報とし、時系列的に後に記録されている次のシーン開始情報と、前記シナリオ明細情報の前記シーン開始情報とを照合し、照合結果が一致した前記ビデオ情報のシーン開始情報とするとともに先のシーン開始情報に対応するシーン終了情報として扱い、時系列的に後に記録されている次のシーン開始情報が無く、ビデオ撮影の停止情報を検出した場合には、ビデオ撮影の停止情報を先のシーン開始情報に対応するシーン終了情報として扱い、前記シーン開始情報と該シーン終了情報との間の抽出範囲毎に該当する前記シナリオ明細情報のシーン番号を付加して編集ビデオ情報を作成し、作成した前記編集ビデオ情報をシーン番号の昇順に繋ぎ合わせて前記データ記憶装置に登録する自動編集手段を備えることを特徴とする。
【発明の効果】
【００１６】
以上説明したように、本発明のビデオ編集代行システムによれば、利用者は予め選択したシナリオに基づいてビデオカメラにより撮影をして、撮影したメディアを編集する事業者に依頼することで、ビデオ編集する為のノウハウを待たない利用者は、ビデオ編集の依頼条件を編集する事業者に提示する為の準備作業に負荷をかけることなく、ナレーション、字幕スーパー等の演出を取り入れて編集したビデオ作品を取得することができる。
【発明を実施するための最良の形態】
【００１７】
以下、本発明の一実施の形態を図に基づいて詳細に説明する。
【実施例１】
【００１８】
図１は本発明であるビデオ編集代行システム１００のシステム構成を示す模式図である。
図１に示すようにビデオ編集代行システム１００は、利用者の日常生活に於けるイベントや企業に於ける開発工程等を撮影したビデオ情報の編集を依頼する利用者側が備えるパソコン、携帯電話等の利用者端末装置１と、この利用者端末装置１にインターネット２を介して接続される、このビデオ編集代行システムの運営を行うシステム運営機関が備える運営管理装置１０とから構成される。
【００１９】
又、利用者端末装置１には、データを圧縮、伸長する為のエンコード用ソフトウエアを搭載したデータ変換装置が接続されており、そのデータ変換装置には、ビデオ情報を再生する為のＤＶＤ再生装置やＶＨＳテープ再生装置又はメモリーカードリーダと、編集ビデオ情報をＤＶＤ−ＲＯＭやビデオテープ又はメモリーカードに登録する為のＤＶＤレコーダやＶＨＳテープレコーダ又はメモリーライターが接続されている。
但し、これらのデータ変換装置、ＤＶＤ再生装置、ＶＨＳテープ再生装置、メモリーカードリーダ、ＤＶＤレコーダ、ＶＨＳテープレコーダ、メモリーカードライタは、図１には図示されていない。
【００２０】
運営管理装置１０は、ビデオ情報を編集する編集者側が備えるパソコン等の編集者端末装置１１と、ビデオ編集代行に関する情報を登録する為のデータ記憶装置としてのデータベース２０と、利用者端末装置１からの検索要求を受信して、データベース２０の検索結果を、インターネット２を介して送信する為のＷｅｂサーバー１２と、データベース２０を管理する為のデータベースサーバー１３と、ビデオ編集代行に関する業務処理を行う為のアプリケーションサーバー１４とから構成される。
【００２１】
又、編集者端末装置１１には、ナレーション音声を入力する為のマイクロホン（図１には図示されていない）が接続されている。
データベース２０は、利用者テーブル２１、イベント分野テーブル２２、シナリオテーブル２３、シナリオ明細テーブル２４、楽曲テーブル２５、編集依頼テーブル２６、編集依頼明細テーブル２７から構成される。
【００２２】
利用者テーブル２１は、利用者が撮影したビデオ情報の編集を依頼する利用者の登録情報を記録するものである。
前記、利用者の登録情報には、検索キー部である利用者コードと、ユーザーＩＤとパスワードとからなる検索キー部と、データ部に属する利用者名、住所、電話番号、メールアドレス、登録年月日等の情報を格納記録する。
【００２３】
イベント分野テーブル２２は、図３に示すように利用者の日常生活に於けるイベントや企業に於ける開発工程等を区分、ジャンルに分類している。ジャンルとしては、映像挨拶状、ビジネス、研究、旅行等が設定される。
イベント分野名によって後述するシナリオテーブル２３と関連付けられている。
イベント分野情報には、検索キー部であるイベント分野名と、データ部に属するイベント分野範囲、登録年月日等の情報を格納記録する。
【００２４】
シナリオテーブル２３は、利用者が撮影したビデオ情報をビデオ作品に編集する為の編集パターンをイベント分野毎、更にその撮影内容毎にそのシナリオを分類したシナリオ情報を記録するものであり、イベント分野名とシナリオコードによって後述するシナリオ明細テーブル２４と関連付けられている。
シナリオ情報には、イベント分野名とシナリオコードとからなる検索キー部と、データ部に属するシナリオ概要、登録年月日等の情報を格納記録する。
シナリオ概要には、シナリオ情報が構成する複数のシナリオ明細情報をまとめた特徴説明文が設定されている。
【００２５】
シナリオ明細テーブル２４は、図４に示すようにシナリオ情報毎にその各シーンの順番に基づいたシーンの明細情報を記録するものである。
シナリオ明細情報には、イベント分野名とシナリオコードとシーン番号とからなる検索キー部と、データ部に属するシーン画像データコード、シーン開始情報コード、シーン終了情報コード、シーン画像の特徴説明、台詞内容、字幕内容、登録年月日等の情報を格納記録する。
【００２６】
又、シナリオ明細テーブル２４は、シナリオ画像コードによって、そのシーンに於ける代表的なシーン画像データが登録されているシーン画像データファイル２４ａと関連付けられており、又、シーン開始情報コードとシーン終了情報コードよって、そのシーン開始情報とシーン終了情報が登録されているシーン画像データファイル２４ａと関連付けられている。
【００２７】
シーン開始情報とシーン終了情報は、利用者が撮影したシーン毎のビデオ情報に所定の時間をかけて記録されており、そのビデオ情報より、シーン開始情報とシーン終了情報に挟まれた映像を抽出して自動編集する際に使用され、そのシーン開始情報とシーン終了情報には、「シーンコード」と「シーン番号」と「開始、又は終了」等の情報が画像として登録されている。
【００２８】
利用者がシーン終了情報の撮影を忘れて、シーン終了情報が欠落したビデオ情報においては、シーン開始情報の次に再度シーン開始情報が現れるか、またはビデオ撮影の停止情報が現れる。再度シーン開始情報が現れた場合には、後のシーン開始情報を前のシーン終了情報として扱い、その間の映像を抽出範囲として自動編集を行行い、ビデオ撮影の停止情報が現れ場合には、ビデオ撮影の停止情報を前のシーン終了情報として扱い、その間の映像を抽出範囲として自動編集を行う。
【００２９】
利用者は、イベントを撮影する際に、このシステム運営機関より提供されたパンフレット又は利用者端末装置からプリントアウトした用紙に印刷されたシーン開始情報とシーン終了情報を撮影してビデオ情報を作成する。
図６に示すように、シーン開始情報とシーン終了情報はコード番号とバーコードとで記載されている。
【００３０】
楽曲テーブル２５は、イベント分野毎にそのイベント分野と関連する楽曲を分類した楽曲情報を記録するものである。
楽曲情報には、イベント分野名と楽曲コードとからなる検索キー部と、データ部に属する楽曲名、登録年月日等の情報を格納記録する。
又、楽曲テーブル２５は、楽曲コードによって、ＢＧＭ等の楽曲が登録されている楽曲ファイル２５ａと関連付けられている。
【００３１】
編集依頼テーブル２６は、利用者が撮影したビデオ情報をビデオ作品に編集する為の利用者の編集依頼情報を記録するものであり、依頼受付番号によって後述する編集依頼テーブル２６と関連付けられている。
編集依頼情報には、編集状況と依頼受付番号とからなる検索キー部と、検索キー部である利用者コードと、データ部に属するイベント分野名、シナリオコード、希望撮影合計時間、実績撮影合計時間、楽曲コード、依頼年月日、送信予定年月日、送信実績年月日等の情報を格納記録する。
又、編集依頼テーブル２６は、依頼受付番号によって、利用者が撮影したビデオ情報が登録されているビデオファイル２６ａと、このビデオ情報を編集し、編集ビデオ情報として登録する編集ビデオファイル２６ｂと関連付けられている。
【００３２】
編集者側のビデオ編集作業は、利用者端末装置１からの編集依頼情報の受信後、「ビデオ編集」、「楽曲編集」、「変更ナレーション音声登録」、「変更ナレーション音声編集」、「変更字幕画像登録」、「変更字幕画像編集」、「ビデオ作品送信」の順に行われ、編集状況には、「ビデオ編集未着手」、「楽曲未編集」、「変更ナレーション音声未登録」、「変更ナレーション音声未編集」、「変更字幕画像未登録」、「変更字幕画像未編集」、「ビデオ作品未送信」、「ビデオ作品送信済」が設定される。このことにより、利用者側からのビデオ編集作業の進捗状況についての問い合わせに対応することができる。
【００３３】
編集依頼明細テーブル２７は、利用者が撮影したビデオ情報をビデオ作品に編集する為に、前述したシナリオ明細情報に対応付けられた利用者の編集依頼明細情報を記録するものである。
編集依頼明細情報には、依頼受付番号とイベント分野名とシナリオコードとシナリオ順番とからなる検索キー部と、データ部に属する希望撮影明細時間、実績撮影明細時間、変更ナレーション内容、その変更ナレーション音声コード、変更字幕内容、その変更字幕画像コード、抽出開始相対時刻、抽出終了相対時刻、撮影開始相対時刻、撮影終了相対時刻、登録年月日等の情報を格納記録する。
【００３４】
又、編集依頼明細テーブル２７は、変更ナレーション音声コードによって、変更ナレーション音声が登録されている変更ナレーション音声ファイル２７ａと関連付けられている。
又、変更字幕画像コードによって、変更字幕画像が登録されている変更字幕画像ファイル２７ｂと関連付けられている。
抽出開始相対時刻と抽出終了相対時刻は、ビデオ情報をシナリオ明細情報のシーン番号に基づいて抽出したビデオ情報に於ける抽出する範囲の相対時刻である。
撮影開始相対時刻と撮影終了相対時刻は、ビデオ情報に於ける抽出する範囲の相対時刻とそれぞれ対応し、抽出されなかった範囲の時刻を詰めて再設定したビデオ情報を編集した後の編集ビデオ情報に於ける相対時刻である。
【００３５】
次に、運営管理装置１０の処理手段３０が、利用者端末装置１と編集者端末装置１１からの要求信号に応答して、データベース２０の検索更新を行う処理手順について詳細に説明する。図２は、本発明である運営管理装置１０に於ける処理手段の処理の流れ図であり、処理手段は、以下の９手段から構成される。
【００３６】
これらは、編集依頼登録手段３１、編集手段３２、自動編集手段３３、楽曲合成手段３４、変更ナレーション音声登録手段３５、変更ナレーション音声合成手段３６、変更字幕画像登録手段３７、変更字幕画像合成手段３８、編集ビデオ送信手段３９である。
【００３７】
編集依頼登録手段３１は、利用者端末装置１より、データベース２０を検索してイベント分野情報の一覧をその利用者端末装置１に送信し、利用者端末装置で表示された中から利用者によって選択されたイベント分野情報に属するシナリオ情報の一覧をその利用者端末装置１に送信し、又、利用者端末装置で表示された中から利用者によって選択されたシナリオ情報に属するシナリオ明細情報の一覧をその利用者端末装置１に送信し、利用者端末装置で表示された中から利用者によって選択されたシナリオ情報に関する情報を含む編集依頼情報をデータベース２０に登録すると共に、利用者端末装置１より送信された編集依頼情報に属するビデオ情報を受信してデータ記憶装置に登録するビデオファイル２６ａに登録する。
【００３８】
又、編集依頼登録手段３１は、選択されたシナリオ情報に属するシナリオ明細情報に対して、それぞれの編集ビデオ情報に於ける希望撮影明細時間の指定を受け付けて、受け付けた希望撮影明細時間を含む編集依頼明細情報を作成してデータベース２０に登録すると共に、その希望撮影明細時間をシナリオ情報について集計した希望撮影合計時間を編集依頼情報に付加する。
【００３９】
又、編集依頼登録手段３１は、データベース２０を検索して選択されたイベント分野情報に属する楽曲情報の一覧を利用者端末装置１に送信し、利用者端末装置１で表示して、その中から利用者によって選択された楽曲情報に関する情報を編集依頼情報に付加する。
又、編集依頼登録手段３１は、選択されたシナリオ情報に属するシナリオ明細情報の一覧を利用者端末装置１に送信し利用者端末装置１で表示した際に、その中から利用者によって選択されたシナリオ明細情報のナレーション内容、及び、字幕内容に対して、入力された変更ナレーション内容、及び、変更字幕内容とそのシーン番号とを含む編集依頼明細情報を作成してデータベース２０に登録する。
【００４０】
以下に、編集依頼登録手段３１の処理手順を詳細に説明する。
（１）利用者端末装置１からの編集依頼登録要求信号に応答して、編集依頼登録・利用者登録情報入力画面を要求のあった利用者端末装置１に送信する。
【００４１】
（２）利用者端末装置１からの利用者登録情報の入力を受け付けて、イベント分野テーブル２２を検索してイベント分野情報を取得し、取得したイベント分野情報の一覧が編集されている編集依頼登録・イベント分野情報選択画面を要求のあった利用者端末装置１に送信する。
【００４２】
（３）利用者端末装置１からのイベント分野情報の選択を受け付けて、選択されたイベント分野情報に設定されているイベント分野名より、シナリオテーブル２３を検索して該当するシナリオ情報を取得し、取得したシナリオ情報の一覧が編集されている編集依頼登録・シナリオ情報選択画面を要求のあった利用者端末装置１に送信する。
【００４３】
（４）利用者端末装置１からのシナリオ情報の選択を受け付けて、選択されたシナリオ情報に設定されているイベント分野名とシナリオコードより、シナリオ明細テーブル２４を検索して該当するシナリオ明細情報を取得し、取得したシナリオ明細情報に設定されているシナリオ画像コードより、シーン画像データファイル２４ａを検索して該当するシナリオ画像を取得し、取得したシナリオ明細情報の一覧とそのシナリオ画像とが編集されている編集依頼登録・シナリオ明細情報変更入力画面を要求のあった利用者端末装置１に送信する。
【００４４】
（５）利用者端末装置１からの希望撮影明細時間とナレーション内容と字幕内容に対する変更ナレーション内容と変更字幕内容の入力を受け付けて、手順（４）の処理で選択されたシナリオ情報に設定されているイベント分野名より、楽曲テーブル２５を検索して該当する楽曲情報を取得し、取得した楽曲情報の一覧が編集されている編集依頼登録・楽曲情報選択画面を要求のあった利用者端末装置１に送信する。
【００４５】
（６）利用者端末装置１からの楽曲情報の選択を受け付けて、手順（２）の処理で入力された利用者登録情報と、手順（３）の処理で選択されたイベント分野情報と、手順（４）の処理で選択されたシナリオ情報と、手順（４）の処理で取得したシナリオ明細情報の一覧とそのシーン画像データと、手順（５）の処理で入力された希望撮影明細時間と変更ナレーション内容と変更字幕内容と、選択された楽曲情報とが編集されている編集依頼登録・ビデオ情報送信確認画面を要求のあった利用者端末装置１に送信する。
【００４６】
（７）利用者端末装置１からの確認ＯＫの選択を受け付けて、その利用者端末装置１に登録されているビデオ情報を受信し、受信したビデオ情報に対して依頼受付番号を付加してビデオファイル２６ａに登録する。
利用者端末装置１に登録されているビデオ情報は、利用者端末装置１に接続されているデータ変換装置とそのデータ変換装置に接続されたＤＶＤ再生装置やＶＨＳテープ再生装置を介して、ＤＶＤ−ＲＯＭやビデオテープに登録されたビデオ情報が利用者端末装置に予め、標準的に使用されるＡＶＩファイル形式として登録されている。
【００４７】
（８）手順（２）の処理で入力された利用者登録情報に対して利用者コードを付加して利用者テーブル２１に登録する。
【００４８】
（９）手順（３）の処理で選択されたイベント分野情報と、手順（４）の処理で選択されたシナリオ情報と、手順（５）の処理で入力された希望撮影明細時間をシナリオ情報について集計した希望撮影合計時間と、手順（６）の処理で選択された楽曲情報と、手順（７）の処理で付加した依頼受付番号と、手順（８）の処理で付加した利用者コードと、「ビデオ編集未着手」を設定した編集状況より、編集依頼情報を作成して編集依頼テーブル２６に登録する。
【００４９】
（１０）手順（３）の処理で選択されたイベント分野情報と、手順（４）の処理で選択されたシナリオ情報と、手順（４）の処理で取得したシナリオ明細情報の一覧とそのシーン画像データと、手順（５）の処理で入力された希望撮影明細時間と変更ナレーション内容と変更字幕内容と、手順（７）の処理で付加した依頼受付番号より、編集依頼明細情報を作成して編集依頼明細テーブル２７に登録する。
【００５０】
編集手段３２は、編集者端末装置１１から要求された検索条件に基づいて、データベース２０を検索して該当する編集依頼情報の一覧をその編集者端末装置１１に送信し、編集者端末装置で表示された中から編集者によって選択された編集依頼情報とその編集依頼情報に属するシナリオ明細情報の一覧とをその編集者端末装置１１に表示すると共に、選択されたその編集依頼情報に属するビデオ情報を再生してその編集者端末装置１１に送信し、編集者端末装置１１で表示され編集者によってそれぞれのシナリオ明細情報と関連付けた再生中のビデオ情報に於ける任意の抽出範囲の指定を受け付けて、受け付けた抽出範囲毎に該当するシナリオ明細情報のシーン番号を付加して編集ビデオ情報を作成し、作成した編集ビデオ情報をそのシーン番号の昇順に繋ぎ合わせて編集ビデオファイル２６ｂに登録する。
【００５１】
又、編集手段３２と後述する自動編集手段３３とは、シナリオ明細情報と関連付けられたビデオ情報の抽出範囲に於ける実績撮影明細時間とその実績撮影明細時間を編集依頼情報について集計した実績撮影合計時間とを算出して編集者端末装置１１に表示すると共に、編集依頼情報に対して実績撮影合計時間を付加し、編集依頼明細情報に対しては実績撮影明細時間を付加する。
【００５２】
以下に、編集手段３２の処理手順を詳細に説明する。
（１）編集者端末装置１１からのビデオ編集要求信号に応答して、編集依頼テーブル２６を検索して編集状況に「ビデオ編集未着手」が設定されている編集依頼情報を取得し、取得した編集依頼情報の一覧が編集されているビデオ編集・編集依頼情報選択画面を要求のあった編集者端末装置１１に送信する。
【００５３】
（２）編集者端末装置１１からの編集依頼情報の選択を受け付けて、選択された編集依頼情報に設定されているイベント分野名とシナリオコードより、シナリオ明細テーブル２４を検索して該当するシナリオ明細情報を取得し、取得したシナリオ明細情報に設定されているシーン画像データコードより、シーン画像データファイル２４ａを検索して該当するシーン画像データを取得し、選択された編集依頼情報と、取得したシナリオ明細情報の一覧とそのシナリオ画像とが編集されている編集依頼登録・再生開始確認画面を要求のあった編集者端末装置１に送信する。
【００５４】
（３）編集者端末装置１１からの確認ＯＫの選択を受け付けて、手順（２）の処理で選択された編集依頼情報に設定されている依頼受付番号より、ビデオファイル２６ａを検索して該当するビデオ情報を取得し、取得したビデオ情報を再生して編集依頼登録・シーン画像データ、抽出範囲指定画面を要求のあった編集者端末装置１に送信する。
【００５５】
（４）編集者端末装置１１からのシーン画像データとビデオ情報の抽出範囲の指定を受け付けて、手順（２）の処理で選択された編集依頼情報に設定されている依頼受付番号と、指定されたシーン画像データに該当するシナリオ明細情報に設定されているイベント分野名とシーンコードと内訳コードより、編集依頼明細テーブル２７を検索して該当する編集依頼明細情報を取得し、取得した編集依頼明細情報に対して抽出範囲の指定時の抽出開始相対時刻と抽出終了相対時刻とを付加して、編集依頼明細テーブル２７を更新する。
【００５６】
（５）手順（２）の処理で選択された編集依頼情報に設定されている依頼受付番号と、指定されたシナリオ画像に該当するシナリオ明細情報に設定されているイベント分野名とシナリオコードより、編集依頼明細テーブル２７を検索して該当する編集依頼明細情報を取得し、手順（２）の処理で選択された編集依頼情報に設定されている依頼受付番号より、ビデオファイル２６ａを検索して、取得した編集依頼明細情報に設定されている抽出開始相対時刻と抽出終了相対時刻の範囲で該当するビデオ情報の範囲を順次抽出し、抽出時の撮影開始相対時刻と撮影終了相対時刻を計測して抽出したビデオ情報を編集ビデオ情報として手順（２）の処理で選択された編集依頼情報に設定されている依頼受付番号を付加して編集ビデオファイル２６ｂに登録する。
【００５７】
（６）手順（５）の処理で取得した編集依頼明細情報に対して手順（５）の処理で計測した撮影開始相対時刻と撮影終了相対時刻と、この撮影開始相対時刻と撮影終了相対時刻より算出した実績撮影明細時間とを付加して編集依頼明細テーブル２７を更新する。
【００５８】
（７）手順（２）の処理で選択された編集依頼情報に設定されている編集状況に「楽曲未編集」を設定し、手順（６）の処理で算出した実績撮影明細時間を編集依頼情報について集計した実績撮影合計時間を付加して編集依頼テーブル２６を更新する。
【００５９】
（８）手順（２）の処理で選択された編集依頼情報に設定されている依頼受付番号を楽曲合成手段３３に受け渡す。
【００６０】
自動編集手段３３は、前述の編集手段３２に代えて、編集者端末装置１１から要求された検索条件に基づいて、データベース２０を検索して該当する編集依頼情報の一覧をその編集者端末装置１１に送信し、編集者端末装置１１で表示された中から編集者によって選択された編集依頼情報に属するシナリオ明細情報のシーン開始情報とシーン終了情報と、ビデオ情報のシーン開始情報とシーン終了情報とを照合して、照合結果が一致したビデオ情報のシーン開始情報とシーン終了情報との間の抽出範囲毎に該当するシナリオ明細情報のシーン番号を付加して編集ビデオ情報を作成し、作成した編集ビデオ情報をそのシーン番号の昇順に繋ぎ合わせて編集ビデオファイル２６ｂに登録する。
【００６１】
以下に、自動編集手段３３の処理手順を詳細に説明する。
（１）編集者端末装置１１からのビデオ自動編集要求信号に応答して、編集依頼テーブル２６を検索して編集状況に「ビデオ編集未着手」が設定されている編集依頼情報を取得し、取得した編集依頼情報の一覧が編集されているビデオ自動編集・編集依頼情報選択画面を要求のあった編集者端末装置１１に送信する。
【００６２】
（２）編集者端末装置１１からの編集依頼情報の選択を受け付けて、選択された編集依頼情報に設定されているイベント分野名とシナリオコードより、シナリオ明細テーブル２４を検索して該当するシナリオ明細情報を取得し、取得したシナリオ明細情報に設定されているシナリオ開始情報コードとシーン終了情報コードより、シーン画像データファイル２４ａを検索して該当するシーン開始情報とシーン終了情報とを取得する。
【００６３】
（３）手順（２）の処理で選択された編集依頼情報に設定されている依頼受付番号より、ビデオファイル２６ａを検索して該当するビデオ情報を取得し、取得したビデオ情報を再生して、そのビデオ情報に設定されているシーン開始情報とシーン終了情報とを取得し、手順（２）の処理で取得したシナリオ明細情報からのシーン開始情報とシーン終了情報と照合する。
【００６４】
（４）照合結果が一致した場合に、手順（２）の処理で選択された編集依頼情報に設定されている依頼受付番号と、照合結果が一致したシナリオ明細情報に設定されているイベント分野名とシナリオコードと内訳コードより、編集依頼明細テーブル２７を検索して該当する編集依頼明細情報を取得し、取得した編集依頼明細情報に対して照合結果が一致したビデオ情報の再生時の抽出開始相対時刻と抽出終了相対時刻とを付加して、編集依頼明細テーブル２７を更新する。
【００６５】
（５）手順（２）の処理で選択された編集依頼情報に設定されている依頼受付番号と、照合結果が一致したシナリオ明細情報に設定されているイベント分野名とシナリオコードより、編集依頼明細テーブル２７を検索して該当する編集依頼明細情報を取得し、手順（２）の処理で選択された編集依頼情報に設定されている依頼受付番号より、ビデオファイル２６ａを検索して、取得した編集依頼明細情報に設定されている抽出開始相対時刻と抽出終了相対時刻の範囲で該当するビデオ情報の範囲を順次抽出し、抽出時の撮影開始相対時刻と撮影終了相対時刻を計測して抽出したビデオ情報を編集ビデオ情報として手順（２）の処理で選択された編集依頼情報に設定されている依頼受付番号を付加して編集ビデオファイル２６ｂに登録する。
【００６６】
（６）手順（５）の処理で取得した編集依頼明細情報に対して手順（５）の処理で計測した撮影開始相対時刻と撮影終了相対時刻と、この撮影開始相対時刻と撮影終了相対時刻より算出した実績撮影明細時間とを付加して編集依頼明細テーブル２７を更新する。
【００６７】
（７）手順（２）の処理で選択された編集依頼情報に設定されている編集状況に「楽曲未編集」を設定し、手順（６）の処理で算出した実績撮影明細時間を編集依頼情報について集計した実績撮影合計時間を付加して編集依頼テーブル２６を更新する。
【００６８】
（８）手順（２）の処理で選択された編集依頼情報に設定されている依頼受付番号を楽曲合成手段３３に受け渡す。
【００６９】
楽曲合成手段３４は、編集手段３２、又は自動編集手段３３で編集ビデオ情報を編集ビデオファイル２６ｂに登録する際に、その編集依頼情報の楽曲情報に関する情報に属する楽曲をその編集ビデオ情報と合成して登録する。
【００７０】
以下に、楽曲合成手段３４の処理手順を詳細に説明する。
（１）楽曲合成手段３４は、運営管理装置１０の電源投入時に自動起動され編集手段３２、又は自動編集手段３３からの依頼受付番号を受け付ける迄、ウエイトする。
【００７１】
（２）ウエイト解除後、編集手段３２、又は自動編集手段３３から受け付けた依頼受付番号と「楽曲未編集」を設定された編集状況より、編集依頼テーブル２６を検索して該当する編集依頼情報を取得し、取得した編集依頼情報に設定されている楽曲コードより、楽曲ファイル２５ａを検索して該当する楽曲を取得し、編集手段３２から受け付けた依頼受付番号より、編集ビデオファイル２６ｂを検索して該当する編集ビデオ情報を取得し、市販の合成プログラムによって、取得した楽曲をこの編集ビデオ情報に合成する。
【００７２】
（３）手順（２）の処理で取得した編集依頼情報に設定されている編集状況に「変更ナレーション音声未登録」を設定して編集依頼テーブル２６を更新する。
【００７３】
変更ナレーション音声登録手段３５は、編集者端末装置１１から要求された検索条件に基づいて、データベース２０を検索して該当する編集依頼明細情報の一覧をその編集者端末装置１１に送信し、編集者端末装置１１で表示された中から編集者によって選択された編集依頼明細情報に対して、その編集者端末装置１１に接続されたマイクロホンからの変更ナレーション内容に基づいた変更ナレーション音声の入力を受け付けて、入力された変更ナレーション音声を変更ナレーション音声ファイル２７ａに登録する。
【００７４】
以下に、変更ナレーション音声登録手段３５の処理手順を詳細に説明する。
（１）編集者端末装置１１からの変更ナレーション音声登録要求信号に応答して、編集依頼テーブル２６を検索して編集状況に「変更ナレーション音声未登録」が設定されている編集依頼情報を取得し、取得した編集依頼情報の一覧が編集されている変更ナレーション音声登録・編集依頼情報選択画面を要求のあった編集者端末装置１１に送信する。
【００７５】
（２）編集者端末装置１１からの編集依頼情報の選択を受け付けて、選択された編集依頼情報に設定されている依頼受付番号とイベント分野名とシナリオコードより、編集依頼明細テーブル２７を検索して該当する編集依頼明細情報を取得し、取得した編集依頼明細情報の一覧が編集されている変更ナレーション音声登録・編集依頼明細情報選択画面を要求のあった編集者端末装置１１に送信する。
【００７６】
（３）編集者端末装置１１からの編集依頼明細情報の選択を受け付けて、選択された編集依頼明細情報が編集されている変更ナレーション音声登録・変更ナレーション音声入力画面を要求のあった編集者端末装置１１に送信する。
【００７７】
（４）編集者端末装置１１に接続されたマイクロホンからの変更ナレーション音声の入力を受け付けて、入力された変更ナレーション音声に対して変更ナレーション音声コードを付加して変更ナレーション音声ファイル２７ａに登録する。
【００７８】
（５）手順（３）の処理で選択された編集依頼明細情報に手順（４）の処理で付加した変更ナレーション音声コードを付加して編集依頼明細テーブル２７を更新する。
【００７９】
（６）手順（２）の処理で選択された編集依頼情報に設定されている編集状況に「変更ナレーション音声未編集」を設定して編集依頼テーブル２６を更新する。
【００８０】
（７）手順（２）の処理で選択された編集依頼情報に設定されている依頼受付番号と、手順（３）の処理で選択された編集依頼明細情報に設定されているシーン番号とを変更ナレーション音声合成手段３６に受け渡す。
【００８１】
変更ナレーション音声合成手段３６は、編集手段３２、又は自動編集手段３３で編集ビデオ情報を編集ビデオファイル２６ｂに登録する際に、その編集ビデオ情報と編集依頼明細情報とを照合して、それぞれのシーン番号が一致した場合に、一致したシーン番号に属する編集依頼明細情報の変更ナレーション音声をその編集ビデオ情報と合成して登録する。
【００８２】
以下に、変更ナレーション音声合成手段３６の処理手順を詳細に説明する。
（１）変更ナレーション音声合成手段３６は、運営管理装置１０の電源投入時に自動起動され変更ナレーション音声登録手段３５からの依頼受付番号とシーン番号とを受け付ける迄、ウエイトする。
【００８３】
（２）ウエイト解除後、変更ナレーション音声登録手段３５から受け付けた依頼受付番号と「変更ナレーション音声未編集」を設定した編集状況より、編集依頼テーブル２６を検索して該当する編集依頼情報を取得し、取得した編集依頼情報に設定されている依頼受付番号とイベント分野名とシナリオコードと、変更ナレーション音声登録手段３５から受け付けたシーン番号とより、編集依頼明細テーブル２７を検索して該当する編集依頼明細情報を取得する。
【００８４】
（３）手順（２）の処理で取得した編集依頼明細情報に設定されている変更ナレーション音声コードより、変更ナレーション音声ファイル２７ａを検索して該当する変更ナレーション音声を取得し、変更ナレーション音声登録手段３５から受け付けた依頼受付番号より、編集ビデオファイル２６ｂを検索して該当する編集ビデオ情報を取得する。
【００８５】
（４）市販の合成プログラムによって、手順（３）の処理で取得した変更ナレーション音声を手順（２）の処理で取得した編集依頼明細情報に設定されている撮影開始相対時刻に該当する手順（３）の処理で取得した編集ビデオ情報の位置に合成する。
（５）手順（２）の処理で取得した編集依頼情報に設定されている編集状況に「変更字幕画像未登録」を設定して編集依頼テーブル２６を更新する。
【００８６】
変更字幕画像登録手段３７は、編集者端末装置１１から要求された検索条件に基づいて、データベース２０を検索して該当する編集依頼明細情報の一覧をその編集者端末装置１１に送信し、編集者端末装置１１で表示された中から編集者によって選択された編集依頼明細情報に対して、その編集者端末装置１１からの変更字幕内容に基づいた変更字幕画像の入力を受け付けて、入力された変更字幕画像を変更字幕画像ファイル２７ｂに登録する。
【００８７】
以下に、変更字幕画像登録手段３７の処理手順を詳細に説明する。
（１）編集者端末装置１１からの変更字幕画像登録要求信号に応答して、編集依頼テーブル２６を検索して編集状況に「変更字幕画像未登録」が設定されている編集依頼情報を取得し、取得した編集依頼情報の一覧が編集されている変更字幕画像登録・編集依頼情報選択画面を要求のあった編集者端末装置１１に送信する。
【００８８】
（２）編集者端末装置１１からの編集依頼情報の選択を受け付けて、選択された編集依頼情報に設定されている依頼受付番号とイベント分野名とシナリオコードより、編集依頼明細テーブル２７を検索して該当する編集依頼明細情報を取得し、取得した編集依頼明細情報の一覧が編集されている変更字幕画像登録・編集依頼明細情報選択画面を要求のあった編集者端末装置１１に送信する。
【００８９】
（３）編集者端末装置１１からの編集依頼明細情報の選択を受け付けて、選択された編集依頼明細情報が編集されている変更字幕画像登録・変更字幕画像入力画面を要求のあった編集者端末装置１１に送信する。
【００９０】
（４）編集者端末装置１１からの変更字幕画像の入力を受け付けて、入力された変更字幕画像に対して変更字幕画像コードを付加して変更字幕画像ファイル２７ｂに登録する。
【００９１】
（５）手順（３）の処理で選択された編集依頼明細情報に対して手順（４）の処理で付加した変更字幕画像コードを付加して編集依頼明細テーブル２７を更新する。
【００９２】
（６）手順（２）の処理で選択された編集依頼情報に設定されている編集状況に「変更字幕画像未編集」を設定して編集依頼テーブル２６を更新する。
【００９３】
（７）手順（２）の処理で選択された編集依頼情報に設定されている依頼受付番号と、手順（３）の処理で選択された編集依頼明細情報に設定されているシーン番号とを変更字幕画像合成手段３８に受け渡す。
【００９４】
変更字幕画像合成手段３８は、編集手段３２、又は自動編集手段３３で編集ビデオ情報をデータ記憶装置に登録する際に、その編集ビデオ情報と編集依頼明細情報とを照合して、それぞれのシーン番号が一致した場合に、一致したシーン番号に属する編集依頼明細情報の変更字幕画像をその編集ビデオ情報と合成して登録する。
【００９５】
以下に、変更字幕画像合成手段３８の処理手順を詳細に説明する。
（１）変更字幕画像合成手段３８は、運営管理装置１０の電源投入時に自動起動され変更字幕画像登録手段３７からの依頼受付番号とシーン番号とを受け付ける迄、ウエイトする。
【００９６】
（２）ウエイト解除後、変更字幕画像登録手段３７から受け付けた依頼受付番号と「変更字幕画像未編集」を設定した編集状況より、編集依頼テーブル２６を検索して該当する編集依頼情報を取得し、取得した編集依頼情報に設定されている依頼受付番号とイベント分野名とシナリオコードと、変更字幕画像登録手段３７から受け付けたシーン番号とより、編集依頼明細テーブル２７を検索して該当する編集依頼明細情報を取得する。
【００９７】
（３）手順（２）の処理で取得した編集依頼明細情報に設定されている変更字幕画像コードより、変更字幕画像ファイル２７ｂを検索して該当する変更字幕画像を取得し、変更字幕画像登録手段３７から受け付けた依頼受付番号より、編集ビデオファイル２６ｂを検索して該当する編集ビデオ情報を取得する。
【００９８】
（４）市販の合成プログラムによって、手順（３）の処理で取得した変更字幕画像を手順（２）の処理で取得した編集依頼明細情報に設定されている撮影開始相対時刻に該当する手順（３）の処理で取得した編集ビデオ情報の位置に合成する。
【００９９】
（５）手順（２）の処理で取得した編集依頼情報に設定されている編集状況に「ビデオ作品未送信」を設定して編集依頼テーブル２６を更新する。
【０１００】
編集ビデオ送信手段３９は、編集者端末装置１１より、データベース２０を検索して所定の送信条件に基づいた編集ビデオ情報をその利用者端末装置１に送信する。
【０１０１】
以下に、編集ビデオ送信手段３９の処理手順を詳細に説明する。
（１）編集者端末装置１１からの編集ビデオ送信要求信号に応答して、編集依頼テーブル２６を検索して編集状況に「ビデオ作品未送信」が設定されている編集依頼情報を取得し、取得した編集依頼情報の一覧が編集されている編集ビデオ送信・編集依頼情報選択画面を要求のあった編集者端末装置１１に送信する。
【０１０２】
（２）編集者端末装置１１からの編集依頼情報の選択を受け付けて、選択された編集依頼情報に設定されている依頼受付番号より、編集ビデオファイル２６ｂを検索して該当する編集ビデオ情報を取得する。
【０１０３】
（３）手順（２）の処理で選択された編集依頼情報に設定されている利用者コードより、利用者テーブル２１を検索して該当する利用者登録情報を取得し、取得した利用者登録情報に設定されているメールアドレスの利用者端末装置１に手順（２）の処理で取得した編集ビデオ情報をＡＶＩファイル形式からＭＰＥＧファイル形式に変換して、圧縮、暗号化した後に送信する。
【０１０４】
（４）手順（２）の処理で選択された編集依頼情報の送信実績年月日にシステム日付を設定して編集依頼テーブル２６を更新する。
【０１０５】
（５）利用者端末装置１に送信された編集ビデオ情報は、復号、解凍した後に、そのＭＰＥＧ形式ファイルを利用者端末装置１に接続されたデータ変換装置とそのデータ変換装置に接続されたＤＶＤレコーダやＶＨＳテープレコーダを介して、ＤＶＤ−ＲＯＭやビデオテープに登録される。
【実施例２】
【０１０６】
次にシーン開始情報コード、シーン終了情報コードにバーコードを用いた時の実施例を示す。
図６に示すようにシーン毎にシーン番号、説明、注意点等が記載されていて、開始コードと終了コードが文字とバーコードで記載されている。図６では通常のバーコードの例を示しているが、二次元バーコードを用いてもよい。
この情報はシナリオ詳細情報に記載されている各シーン毎に用意されていて、事前に利用者端末によりプリントアウトした用紙を使う。
シーン撮影の前に開始コードのバーコードを一定時間撮影する。シーン説明に従い撮影を終わった後に、終了コードのバーコードを一定時間撮影する。
【０１０７】
以上の様ビデオ撮影を行うことで、映像情報にシーン開始情報コード、シーン終了情報コードが付加されて記録される。
この映像情報を編集する際に、映像情報のなかから、バーコードが撮影されている画面を抽出し、そのバーコードを解析することにより、どのシーン番号の開始情報又は終了情報かを認識して、同一シーンの開始情報コードと終了情報コードの間の映像をそのシーンの抽出映像とする。
バーコードの認識は、同じ画面が定められた時間連続るすこと、白と黒の画像で相関が強い画像であるので、高速再生又はコマ飛ばしの再生でもバーコードの認識ができる。
【実施例３】
【０１０８】
次にシーン開始情報コード、シーン終了情報コードに音声帯域の信号を用いた時の実施例について述べる。
音声帯域の信号を再生することができること、インターネットに接続できることから本実施例では、携帯電話機を使った場合について述べる。
選択したシナリオの詳細データを携帯電話機を用いてサーバーにアクセスして、情報を得る。
【０１０９】
携帯電話機の表示器に図６に示す内容と同様の内容を表示させシーンの内容を確認して撮影を行う。
ビデオカメラの撮影を開始して、携帯電話機の画面で開始コードを選択することで、開始コードおよび、撮影時刻、シナリオ番号、シーン番号、撮影場所、撮影対象、撮影者等の情報を含む音声帯域の信号音が携帯電話から出力されて、これをビデオカメラにより録音した後に撮影を開始する。
【０１１０】
撮影終了後に利用者が、携帯電話機の画面で終了コードを選択することにより、終了コードに対応する音声帯域の音が携帯電話から出力されて、これをビデオカメラにより録音して１つのシーンの撮影終了となる。
【０１１１】
携帯電話機を使う場合には、携帯電話機を操作することで、図４の様に各シーンの開始、終了の時刻が携帯電話機に記録される。
シーンでの撮り直しをした場合には、通常は最後に撮影した映像を採用するが、前の映像を採用したい場合には、携帯電話機内のデータを更新する。
図４にはシーン４を５回撮影して、３回目を採用した例を示す。
【０１１２】
撮影終了後に携帯電話機に記録された各シーンで何番目の映像を採用するかのデータを運用管理装置に送信する。映像のデータは利用者端末装置を用いて運用管理装置に送信する。
【０１１３】
映像情報にシーン開始情報コード、シーン終了情報コードが音声帯域の信号で記録された映像情報を編集する際に、映像情報とともに録音された音声情報の中から、信号部分を抽出し、その信号を解析することにより、どのシーン番号の開始情報又は終了情報かを認識して、同一シーンの開始情報コードと終了情報コードの間の映像をそのシーンの抽出映像とする。
音声帯域の信号は特定の周波数を含むので、他の音声、周囲の音との区別することができる。
【０１１４】
以上、本発明の実施の形態を詳細に説明したが、本発明は、本実施の形態に限られるものではない。本発明の技術的範囲から逸脱しない範囲内で多様に変更実施することが可能である。
【産業上の利用可能性】
【０１１５】
本発明は、利用者の日常生活に於けるイベントや企業に於ける開発工程等を撮影したビデオ情報を利用者に代わって編集を行うシステムに於いて、イベントを予めパターン化したシナリオを準備することにより、複数種類からなる利用者のイベントに対して、そのビデオ編集に適用することができる。
【図面の簡単な説明】
【０１１６】
【図１】本発明であるビデオ編集代行システム１００のシステム構成を示す模式図である。
【図２】本発明である運営管理装置１０に於ける処理手段３０の処理の流れ図である。
【図３】本発明のシナリオ情報を示す図である。
【図４】本発明のシナリオ明細情報を示す図である。
【図５】本発明の各シーンの撮影記録を示す図である。
【図６】本発明のシーンの明細情報と開始コードと終了コードをバーコードでプリントアウトした状態を示す図である。
【符号の説明】
【０１１７】
１    利用者端末装置
２    インターネット
１０    運営管理装置
１１    編集者端末装置
１２    Ｗｅｂサーバー
１３    データベースサーバー
１４    アプリケーションサーバー
２０    データベース
２１    利用者テーブル
２２    イベント分野テーブル
２３    シナリオテーブル
２４    シナリオ明細テーブル
２４ａ    シーン画像データファイル
２５    楽曲テーブル
２５ａ    楽曲ファイル
２６    編集依頼テーブル
２６ａ    ビデオファイル
２６ｂ    編集ビデオファイル
２７    編集依頼明細テーブル
２７ａ    変更ナレーション音声ファイル
２７ｂ    変更字幕画像ファイル
３０    処理手段
３１    編集依頼登録手段
３２    編集手段
３３    自動編集手段
３４    楽曲合成手段
３５    変更ナレーション音声登録手段
３６    変更ナレーション音声合成手段
３７    変更字幕画像登録手段
３８    変更字幕画像合成手段
３９    編集ビデオ送信手段
１００    ビデオ編集代行システム
【図１】
2006074405.tif 000003
【図２】
2006074405.tif 000004
【図３】
2006074405.tif 000005
【図４】
2006074405.tif 000006
【図５】
2006074405.tif 000007
【図６】
2006074405.tif 000008